(57)【要約】【課題】指標の配列形状の異なる文字板に対して共通に用いることができる指針体駆動装置、および、当該指針体駆動装置が用いられる指針式計器を提供する。【解決手段】文字板３に配列された指標３ａを指示するように文字板３に対して配設される指針体４と、指標３ａの配列に沿いつつ文字板３と平行に配設されるレール部６と、指針体４が固定されるとともにレール部６に沿って引き回される柔軟部材５と、指針体４が計測量に応じた指示位置に位置づくように柔軟部材５を指標３ａの配列に沿って移動させる駆動部７と、を有する指針体駆動装置２において、レール部６は、指標３ａの配列に沿って変形可能である。【選択図】図１
2008267811.tif 000002
【特許請求の範囲】
【請求項１】
文字板に配列された指標を指示するように前記文字板に対して配設される指針体と、前記指標の配列に沿いつつ前記文字板と平行に配設されるレール部と、前記指針体が固定されるとともに前記レール部に沿って引き回される柔軟部材と、前記指針体が計測量に応じた指示位置に位置づくように前記柔軟部材を前記指標の配列に沿って移動させる駆動部と、を有する指針体駆動装置において、
前記レール部は、前記指標の配列に沿って変形可能であることを特徴とする指針体駆動装置。
【請求項２】
前記レール部は、前記柔軟部材が前記レール部の周囲に沿って引き回されるように、前記柔軟部材を前記レール部に向けて付勢するための付勢部材を有することを特徴とする請求項１に記載の指針体駆動装置。
【請求項３】
前記レール部は、前記柔軟部材を移動案内する複数の第１の回動体と、前記複数の第１の回動体を回動自在に軸支して前記指標の配列に沿うように位置づける支持部材と、を有することを特徴とする請求項１または２に記載の指針体駆動装置。
【請求項４】
前記付勢部材は、前記レール部によって回動自在に軸支される第２の回動体であることを特徴とする請求項２または３に記載の指針体駆動装置。
【請求項５】
請求項１〜４のいずれか一項に記載の指針体駆動装置と、前記指標が配列された文字板と、を有することを特徴とする指針式計器。
【発明の詳細な説明】
【技術分野】
【０００１】
本発明は、車両等に搭載される指針式計器および該指針式計器で用いられる指針体駆動装置に関するものである。
【背景技術】
【０００２】
速度計やエンジン回転数計等、指針式計器の車両等への配設時において、配置スペースの効率化を図るため、計器内の表示領域に複数の指標等を表示することが提案されている。
【０００３】
例えば、特許文献１に示される指針式計器１００においては、図９、１０に示すように、回路基板１０１と、この回路基板１０１上に配置される表示装置１０２と、この表示装置１０２の周囲を覆うように配置されるケース体１０３と、このケース体１０３の前方に配置される指標板１０４と、この指標板１０４の前方に位置して引き回される柔軟部材１０５と、この柔軟部材１０５に固定されるホルダ１０６と、このホルダ１０６を介して柔軟部材１０５に固定される指針１０７と、柔軟部材１０５を移動案内するガイド体１０９と、このガイド体１０９の前方側を含む所要領域を覆う被覆パネル１１０とを備える。
【０００４】
柔軟部材１０５は、その一部が、ガイド体１０９に内包されて指標板１０４の指標部１０４ａに沿って延びるように引き回されるとともに、他の一部が、駆動装置１０８に連動する駆動歯車Ｇおよび複数個のテンションローラＲに架設されている。そして、柔軟部材１０５が、駆動装置１０８によりその長手方向に移動されることで、ホルダ１０６を介して柔軟部材１０５に固定された指針１０７が、指標部１０４ａに沿って移動されて指標を指し示すことで、利用者に対して計測値を表示していた。
【特許文献１】特開２００５−４３２８７
【発明の開示】
【発明が解決しようとする課題】
【０００５】
しかしながら、特許文献１に示される指針式計器においては、柔軟部材１０５の引き回し構造が、即ち、柔軟部材１０５の長さや、柔軟部材１０５を移動案内するガイド体１０９の形状、テンションローラＲの配置等が、指標板１０４に合わせて構成されているため、指標板１０４のサイズや、指標部１０４ａの配列形状が変更された場合に、新たに指針駆動構造を設計し直す必要がある。そのため、形状の異なる指針式計器間で指針駆動構造の共通化を図ることができず、指針式計器の開発コスト低減および製造コスト低減の支障となり、問題とされていた。
【０００６】
したがって、本発明の目的は、指標の配列形状の異なる文字板に対して共通に用いることができる指針体駆動装置、および、該指針体駆動装置が用いられる指針式計器を提供することにある。
【課題を解決するための手段】
【０００７】
上記課題を解決するため本発明によりなされた請求項１に記載の指針体駆動装置は、文字板に配列された指標を指示するように前記文字板に対して配設される指針体と、前記指標の配列に沿いつつ前記文字板と平行に配設されるレール部と、前記指針体が固定されるとともに前記レール部に沿って引き回される柔軟部材と、前記指針体が計測量に応じた指示位置に位置づくように前記柔軟部材を前記指標の配列に沿って移動させる駆動部と、を有する指針体駆動装置において、前記レール部は、前記指標の配列に沿って変形可能であることを特徴とするものである。
【０００８】
請求項２に記載の指針体駆動装置は、請求項１に記載の指針体駆動装置において、前記レール部は、前記柔軟部材が前記レール部の周囲に沿って引き回されるように、前記柔軟部材を前記レール部に向けて付勢するための付勢部材を有することを特徴とするものである。
【０００９】
請求項３に記載の指針体駆動装置は、請求項１または２に記載の指針体駆動装置において、前記レール部は、前記柔軟部材を移動案内する複数の第１の回動体と、前記複数の第１の回動体を回動自在に軸支して前記指標の配列に沿うように位置づける支持部材と、を有することを特徴とするものである。
【００１０】
請求項４に記載の指針体駆動装置は、請求項２または３に記載の指針体駆動装置において、前記付勢部材は、前記レール部によって回動自在に軸支される第２の回動体であることを特徴とするものである。
【００１１】
請求項５に記載の指針式計器は、請求項１〜４のいずれか一項に記載の指針体駆動装置と、前記指標が配列された文字板と、を有することを特徴とするものである。
【発明の効果】
【００１２】
請求項１に記載の発明によれば、本発明に係る指針体駆動装置は、文字板上の指標の配列に沿って変形が可能であることから、形状や指標の配列の異なる複数の文字板に対して配設することができる。そのため、前記複数の文字板において共通して用いることが可能となり、各々の文字板に合わせた指針体駆動装置の新規開発コストが削減可能となるとともに、量産効果による製造コストの低減が可能となる。
【００１３】
請求項２に記載の発明によれば、請求項１に記載の発明の効果に加え、柔軟部材がレール部の周囲に沿って引き回されるように、柔軟部材をレール部に向けて付勢するための付勢部材を有することから、柔軟部材がレール部から離れて引き回されることがなくなる。例えば、レール部を円弧状に湾曲させた場合において、円弧状の内側を通る柔軟部材が、弦状に引き回されることなく、この付勢部材によってレール部に沿うように付勢される。そのため、レール部、即ち、指針体駆動装置の配設に要する領域を小さくすることが可能となり、また、指針体駆動装置に近接して他の部材を配置することが可能となり、よって、指針体駆動装置を配設する領域を有効に利用することができる。
【００１４】
請求項３に記載の発明によれば、請求項１または２に記載の発明の効果に加え、柔軟部材を移動案内する複数の第１の回動体と、前記複数の第１の回動体を軸支して文字板上の指標の配列に沿うように位置づける支持部材と、を有していることから、レール部に沿って引き回された柔軟部材を、指標の配列に沿って円滑に移動することができる。そのため、柔軟部材およびレール部にかかる摩擦抵抗が軽減され、各部材の摩耗等の摩擦抵抗に伴う問題を解消または軽減することができる。
【００１５】
請求項４に記載の発明によれば、請求項２または３に記載の発明の効果に加え、付勢部材として、レール部に回動自在に軸支される第２の回動体を有していることから、レール部に沿って引き回された柔軟部材を、レール部に沿って円滑に移動することができる。そのため、柔軟部材およびレール部にかかる摩擦抵抗が軽減され、各部材の摩耗等の摩擦抵抗に伴う問題を解消または軽減することができる。
【００１６】
請求項５に記載の発明によれば、本発明にかかる指針式計器は、請求項１〜４のいずれか一項に記載の指針体駆動装置を有していることから、指針体駆動装置の新規開発コストが削減可能となるとともに、量産効果による製造コストの低減が可能となり、よって、指針式計器にかかるコストを低減することができる。
【発明を実施するための最良の形態】
【００１７】
（実施例１）
次に、本発明に係る第１の実施形態について、図１〜５を参照して説明する。
【００１８】
指針式計器１は、指標３ａが配列された文字板３と、文字板３の後方に配置された指針体駆動装置２と、で構成されている。また、指針式計器１は、防塵等から保護するために、前面に透明カバーが配置された計器ケース（図示なし）に格納されて、車両等に搭載される。
【００１９】
文字板３は、合成樹脂を基材として半円形状に形成されており、その中央部には文字板３と相似形状の開口部３ｂが設けられている。文字板３の後方には、例えば、液晶パネルなどの図示しない表示装置が配置されており、開口部３ｂを介して、その表示装置が利用者に視認される。また、指針体４とともに測定値を表示する指標３ａが、文字板３の外縁に沿って円弧状に配列されている。文字板３には、例えば、透明な合成樹脂板が用いられ、指標３ａを除いた表面に遮光インクが印刷されて、背面に配置された光源によって照らされることにより、指標３ａが発光して、利用者への表示が行われる。
【００２０】
指針体駆動装置２は、指標３ａを指示するように文字板３に対して配設される指針体４と、指標３ａの配列に沿いつつ文字板３と平行に配設されるレール部６と、指針体４が固定されるとともにレール部６に沿って引き回されるワイヤ５と、指針体４が計測量に応じた指示位置に位置づくようにワイヤ５を指標３ａの配列に沿って移動させる駆動部７と、を有している。
【００２１】
指針体４は、合成樹脂を基材として形成されており、長方形板上のベース部４ａと、ベース部４ａの一つの長辺の中央部から下方（図１下方向）に垂直に延設された指針４ｂと、で構成されている。ベース部４ａは、その下面部がレール部６に当接されるように、レール部６の曲率に合わせて湾曲されている。また、ベース部４ａには、その長手方向に沿って帯状に形成された突部４ｃが、その下面（即ち、レール部６と当接する面）の中央に配設されており、突部４ｃがレール部６の中央の間隙に嵌ることで、レール部６からはずれることなく、レール部６に沿って移動される。
【００２２】
レール部６は、合成樹脂を基材とした複数の節部材１０、２０、３０が、互いに回動可能に連接され、詳細には、レール部６の先端には節部材３０が配設され、以降、節部材２０、節部材１０が交互に連接されて構成されており、基端部に位置した節部材１０が駆動部７のアーム部５３に取り付けられる。また、レール部６の周囲に沿って、ワイヤ５を円滑に移動案内する複数のガイドプーリ４１、４２、４３が配設されている。レール部６は、レール部６の側部（即ち、１０Ｒ、２０Ｒ、３０Ｒの側面）を文字板３に当接または近接して計器ケースに固定され、且つ、レール部６の上面部が文字板３の外縁（即ち、指標３ａ）に沿うように円弧状に湾曲されて配設されている。また、レール部６には、指針体４が、指針４ｂを文字板３の前方に位置づけるように、ベース部４ａをレール部６の上面部に当接して配置されている。
【００２３】
節部材１０は、二等辺三角形状に形成された一対の節板１０Ｌ、１０Ｒが相対して結合され、それらの間にワイヤ５を移動案内する複数のガイドプーリを狭持して、構成されている。節板１０Ｌは、それぞれの底角（即ち、２つの等しい角）部に、節部材２０を回動可能に連接するための連結穴１１が設けられており、その頂角（即ち、２つの等しい辺がなす角）部に、小ガイドプーリ４２を回動自在に軸支する円柱形状のガイド軸１２ａが配設されている。節板１０Ｒは、その底角部に、連結軸が挿通されて節部材２０（または駆動部７）と回動可能に連接するための連結穴（図示なし）が配設されており、その頂角部に、ガイド軸１２ａの先端を嵌合し、節板１０Ｌ、１０Ｒを相対して固定するガイド軸穴（図示なし）が配設されている。
【００２４】
節部材２０は、二等辺三角形状に形成された一対の節板２０Ｌ、２０Ｒが相対して結合され、それらの間にワイヤ５を移動案内する複数のガイドプーリを狭持して、構成されている。節板２０Ｌは、それぞれの底角部に、節部材１０、３０を回動可能に連接し、且つ、大ガイドプーリ４１を回動自在に軸支する円柱形状の連結軸２１ａが設けられており、その頂角部に、小ガイドプーリ４２を回動自在に軸支する円柱形状のガイド軸２２ａが配設されている。節板２０Ｒは、その底角部に、連結軸２１ａの先端を嵌合し、節板２０Ｌ、２０Ｒを相対して固定する連結軸穴（図示なし）が配設されており、その頂角部に、ガイド軸２２ａの先端を嵌合し、節板２０Ｌ、２０Ｒを相対して固定するガイド軸穴（図示なし）が配設されている。
【００２５】
節部材３０は、二等辺三角形状に形成された一対の節板３０Ｌ、３０Ｒが相対して結合され、それらの間にワイヤ５を移動案内する複数のガイドプーリを狭持して、構成されている。節板３０Ｌは、レール部６の先端側に位置する底角部に、先端ガイドプーリ４３を回動自在に軸支する円柱形状の先端軸３３ａが設けられており、他の底角部に、節部材２０を回動可能に連接する連結穴３１が設けられており、その頂角部に、小ガイドプーリ４２を回動自在に軸支する円柱形状のガイド軸３２ａが配設されている。節板３０Ｒは、レール部６の先端側に位置する底角部に、先端軸３３ａの先端を嵌合し、節板３０Ｌ、３０Ｒを相対して固定する先端軸穴（図示なし）が配設されており、他の底角部に、連結軸２１ａが挿通されて節部材２０を回動可能に連接するための連結穴（図示なし）が設けられており、その頂角部に、ガイド軸３２ａの先端を嵌合し、節板３０Ｌ、３０Ｒを相対して固定するガイド軸穴（図示なし）が配設されている。なお、節部材１０、２０、３０は請求項の支持部材に相当する。また、各節部材の形状および構造は、上記に限定されるものではなく、指標３ａに沿って変形可能な構造であればどのようなものであっても良い。
【００２６】
大ガイドプーリ４１は、円筒のそれぞれの両端部にフランジが設けられた形状であり、その円筒内に連結軸２１ａが挿通されることで回動自在に軸支され、フランジ間に通されるワイヤ５を滑らかに移動案内する。小ガイドプーリ４２は、円筒形状に形成されており、その円筒内にガイド軸１２ａ、２２ａ、３２ａが挿通されることで回動自在に軸支され、ワイヤ５を滑らかに移動案内するとともに、ワイヤ５をレール部６に沿うように付勢している。先端ガイドプーリ４３は、円筒のそれぞれの両端部にフランジが設けられた形状であり、その円筒内に先端軸３３ａが挿通されることで回動自在に軸支され、フランジ間に通されるワイヤ５を滑らかに移動案内する。各ガイドプーリは合成樹脂を基材として形成されている。なお、大ガイドプーリ４１は、請求項の複数の第１の回動体に相当し、小ガイドプーリ４２は、請求項の第２の回動体、即ち、付勢部材に相当する。
【００２７】
ワイヤ５は、請求項の柔軟部材に相当し、例えば、ガラス繊維を織り込んだ布材を心材とし、その周囲をゴム系材料で覆った紐状の部材であって、柔軟性且つ非伸縮性を有する部材である。また、ワイヤ５は、指針体４のベース部４ａに、図示しない取付手段（例えば、接着剤）によって固定される。
【００２８】
駆動部７は、ケース５１と、ケース５１の前面に取り付けられるカバー５４と、ケース５１の後面に取り付けられるモータ８と、で構成される。また、ケース５１およびカバー５４には、レール部６を支持する一対のアーム部５３が設けられている。
【００２９】
モータ８は、図示しない制御部に接続されており、測定量に応じて制御部から発せられる信号に基づいて、その駆動軸８ａを回動させる、既存のものである。また、モータ８の容器の外周には、複数のブラケット８ｂが設けられており、図示しないネジ等によって、ケース５１に固定される。
【００３０】
ケース５１は、周囲を壁部で仕切られた収容部５２と、収容部５２の壁部外面に連接された平板からなるアーム部５３とで構成される。収容部５２には、駆動軸穴５２ａと、テンションプーリ軸５２ｂと、補助プーリ軸５２ｃと、センサ穴５２ｄと、が配設されている。駆動軸穴５２ａには、モータ８の駆動軸８ａが挿通され、駆動軸８ａの先端には、ワイヤ５が巻き付けられた駆動プーリ５５が固定されている。そして、測定量に応じてモータ８が駆動軸８ａを回動することで、駆動プーリ５５が回動し、ワイヤ５がその長手方向に移動される。テンションプーリ軸５２ｂは、後述するテンションプーリ５７を回動自在に軸支する。補助プーリ軸５２ｃは、円周に沿って一対のフランジが設けられた円板状の補助プーリ５６ａを、回動自在に軸支する。
【００３１】
一対のアーム部５３は、ケース５１とカバー５４とに設けられた一対の平板部であり、レール部６を支持するように形成されている。詳細には、ケース５１のアーム部５３には、レール部６の基端に位置する節部材１０が回動可能に連接される円柱形状の連結軸５３ａと、ワイヤ５を移動案内する円筒形状の補助プーリ５６ｂ、５６ｃが回動自在に軸支される円柱形状のガイド軸５３ｂ、５３ｃと、が配設され、カバー５４のアーム部５３には、これら連結軸５３ａ、ガイド軸５３ｂ、５３ｃのそれぞれの先端を嵌合する図示しない連結穴、および、ガイド軸穴が配設されている。
【００３２】
テンションプーリ５７は、円板状に形成され、その円周に沿って一対のフランジが設けられており、一対のフランジによって形成された溝に沿ってワイヤ５が巻き付けられている。図５に示すように、テンションプーリ５７のカバー５４と相対する面側（図５カバー側）には、スプリング５８の形状に合わせて直方体形状にくりぬかれたスプリング格納部５７ａと、スプリング格納部５７ａの一端部に円柱形状に立設されたスプリング固定部５７ｂと、テンションプーリ５７の外縁からやや内側に位置して円筒形状にくりぬかれたワイヤ固定部５７ｃと、が設けられている。また、テンションプーリ５７のケース５１（即ち、収容部５２の内面）と相対する面側（図５ケース側）には、テンションプーリ５７の回動量の検出に用いられる縞模様５７ｄが設けられている。
【００３３】
スプリング５８は、針金を螺旋状に巻いた弾力部材であり、その一端をスプリング固定部５７ｂに固定されて、スプリング格納部５７ａに格納される。スプリング５８の他の一端には、ワイヤ５の一端が取り付けられ、そして、ワイヤ５の他の一端はワイヤ固定部５７ｃに取り付けられる。つまり、ワイヤ５の一端は、スプリング５８を介して、テンションプーリ５７に取り付けられていることから、ワイヤ５には、スプリング５８によって、常時適切なテンションがかけられている。なお、スプリング以外にも、弾力性を有し、ワイヤに対してテンションを与えられるものであれば、他のものを用いても良い。
【００３４】
縞模様５７ｄは、図５に示すように、白色と黒色に交互に塗り分けられており、テンションプーリ５７が回動されることにより、ケース５１に設けられたセンサ穴５２ｄを横切って通過し、その通過回数および通過方向が図示しない光センサによって検出され、それら検出情報に基づいて、テンションプーリ５７の回動量、即ち、ワイヤ５の移動量が検出されて制御部へフィードバックされる。なお、縞模様以外にも、例えば凹凸などを設けて、テンションプーリの回動量を検出しても良い。また、光センサは、例えば、発光素子と受光素子とが同方向を向いて配置され、発光素子が発光した光の反射光を受光素子で受け、光を反射した領域の色、または、光を反射したものまでの距離等を検出するものである。なお、光センサではなく、プーリの回転量を検出できれば、磁電変換素子式などの他の方式のセンサでも良い。
【００３５】
なお、ケース５１、カバー５４、駆動プーリ５５、補助プーリ５６ａ、５６ｂ、５６ｃ、および、テンションプーリ５７は、合成樹脂を基材として形成されている。また、上述した各部材のうち合成樹脂を基材として形成されているものについては、合成樹脂に限定されるものではなく、各部材の形状および機能が実現できるものであれば、どのような材料を用いてもよい。
【００３６】
また、本実施例においては、駆動プーリとテンションプーリを別個に設けているが、モータの駆動軸に直接テンションプーリを取り付けることで、ワイヤを移動させるようにしてもよい。その場合、駆動プーリが削減できるため、指針体駆動装置を、さらに、小型化することができ、また、部品コストを低減することができる。
【００３７】
次に、指針体駆動装置２および指針式計器１の組み立てについて、図１、２、４を参照して説明する。
【００３８】
まず、節板３０Ｌの先端軸３３ａに先端ガイドプーリ４３を取り付け、ガイド軸３２ａに小ガイドプーリ４２を取り付ける。そして、節板３０Ｌの連結穴３１に節板２０Ｌの一方の連結軸２１ａを挿通するとともに、大ガイドプーリ４１を前記一方の連結軸２１ａに取り付け、ガイド軸２２ａに小ガイドプーリ４２を取り付ける。そして、前記節板２０Ｌの他方の連結軸２１ａを、節板１０Ｌの一方の連結穴１１に挿通するとともに、大ガイドプーリ４１を前記他方の連結軸２１ａに取り付け、ガイド軸１２ａに小ガイドプーリ４２を取り付ける。そして、前記節板２０Ｌとは別の節板２０Ｌの一方の連結軸２１ａを、節板１０Ｌの他方の連結穴１１に挿通するとともに、大ガイドプーリ４１を該一方の連結軸２１ａに取り付ける。以降、レール部６の基端部に至るまで、節板２０Ｌと節板１０Ｌとを交互に連結する。
【００３９】
次に、レール部６の基端に位置する節板１０Ｌの連結穴１１に、ケース５１のアーム部５３に設けられた連結軸５３ａを挿通して、レール部６をケース５１に連結する。そして、モータ８の駆動軸８ａを、ケース５１に設けられた駆動軸穴５２ａに挿通し、ブラケット８ｂによってモータ８をケース５１に固定する。そして、駆動プーリ５５、補助プーリ５６ａ、５６ｂ、５６ｃ、テンションプーリ５７を、ケース５１に設けられた各プーリを軸支する軸部に取り付ける。
【００４０】
次に、ワイヤ５の一端を、テンションプーリ５７のワイヤ固定部に取り付ける。そして、ワイヤ５をテンションプーリ５７の外周に数回巻き付け、補助プーリ５６ａと駆動プーリ５５との間、および、補助プーリ５６ｂと補助プーリ５６ｃとの間を通して、レール部６に配設された大ガイドプーリ４１に沿って、先端ガイドプーリ４３まで引き回す。そして、先端ガイドプーリ４３で折り返し、小ガイドプーリ４２と大ガイドプーリ４１との間を通して、ケース５１まで戻し、駆動プーリ５５に数回巻き付けたあと、さらに、テンションプーリ５７に再度数回巻き付け、最後にワイヤ５の他の一端をスプリング５８の一端に取り付ける。そして、スプリング５８をスプリング格納部５７ａに格納し、スプリング５８の他の一端をスプリング固定部５７ｂに取り付けて固定する。このとき、テンションプーリ５７には、指針体４の移動量分以上の長さでワイヤ５が巻き付けられており、指針体４の移動途中において、テンションプーリ５７から引き出されるワイヤ５が、その端部に至らないように調整されている。
【００４１】
次に、指針体４のベース部４ａをワイヤ５に取り付け、指針体４を各節部材の上面に当接して配置する。そして、レール部６の先端側から順に、節板３０Ｒ、節板２０Ｒ、節板１０Ｒをそれぞれ対応する節部材に取り付け、以降、節板２０Ｒと節板１０Ｒとを交互に取り付けて、最後にカバー５４をケース５１に取り付けて、指針体駆動装置２が組み立てられる。そして、文字板３の外縁に沿うようにレール部６を湾曲させて、指針体駆動装置２の側部を文字板３の後面に当接させて固定することで、指針式計器１が組み立てられる。
【００４２】
指針式計器１は、図示しない計器ケースに格納されて車両等に搭載され、指針体駆動装置２のモータ８が、図示しない制御装置に接続される。そして、この制御装置から出力される信号に基づいて、モータ８が駆動プーリ５５を回動してワイヤ５を移動し、それに伴いワイヤ５に固定された指針体４が移動して、計測量に応じた指標を差し示すことで、利用者への表示を行う。
【００４３】
上述した第１の実施形態によれば、指針体駆動装置２は、互いに回動可能に連接された節部材１０、２０、３０によって構成されており、文字板上の指標の配列に沿って変形が可能であることから、形状や指標の配列の異なる複数の文字板に対して配設することができる。そのため、前記複数の文字板において共通して用いることが可能となり、個々の文字板に合わせた指針体駆動装置の新規開発コストが削減可能となるとともに、量産効果による製造コストの低減が可能となる。
【００４４】
また、指針体駆動装置２は、ワイヤ５がレール部６の周囲に沿って引き回されるように、ワイヤ５をレール部６に対して付勢する小ガイドプーリ４２を有することから、レール部６を円弧状に湾曲させた場合において、円弧状の内側を通るワイヤ５が、この小ガイドプーリ４２によってレール部６に沿って引き回される。そのため、レール部６、即ち、指針体駆動装置２の配設に要する領域を小さくすることが可能となり、また、指針体駆動装置２に近接して他の部材を配置することが可能となり、例えば、文字板３の開口部３ｂの領域に他の表示装置を配設することができる。よって、指針体駆動装置２を配設する領域を有効に利用することが可能となる。また、小ガイドプーリ４２は、節部材１０、２０、３０に回動自在に配設されていることから、レール部６に沿って引き回されたワイヤ５を、レール部６に沿って付勢しつつ円滑に移動することができる。そのため、ワイヤ５およびレール部６にかかる摩擦抵抗が軽減され、各部材の摩耗等の摩擦抵抗に伴う問題を解消または軽減することができる。
【００４５】
また、指針体駆動装置２は、ワイヤ５を移動案内する複数の大ガイドプーリ４１を有していることから、レール部６に沿って引き回されたワイヤ５を、指標３ａの配列に沿って円滑に移動することができる。そのため、ワイヤ５およびレール部６にかかる摩擦抵抗が軽減され、各部材の摩耗等の摩擦抵抗に伴う問題を解消または軽減することができる。
【００４６】
また、テンションプーリ５７が、その内部にワイヤ５を取り付けるスプリング５８を有していることから、ワイヤ５のたるみを防ぐテンション機構を別途設ける必要がなく、指針体駆動装置２を小型化することができ、指針体駆動装置２を配設する領域を有効に利用することが可能となる。
【００４７】
また、テンションプーリ５７が、縞模様５７ｄを有しており、センサによって計測されたテンションプーリ５７の回動量が制御装置にフィードバックされることから、テンションプーリ５７の回動量、即ち、ワイヤ５の移動量の補正が可能となり、より正確に計測値を表示することができる。
【００４８】
また、指針式計器１は、指針体駆動装置２を有することから、開発コストおよび製造コストの低減が可能であり、また、各部材の摩耗等の摩擦抵抗に伴う問題を解消または軽減することができる。
【００４９】
（実施例２）
次に、本発明に係る第２の実施形態について、図６、７を参照して説明する。
【００５０】
指針式計器７１は、指標７３ａが配列された文字板７３と、文字板７３の後方に配置された指針体駆動装置７２と、で構成されている。
【００５１】
文字板７３は、合成樹脂を基材として半円形状に形成されており、その中央部には文字板３と相似形状の開口部７３ｂが設けられている。また、指針体７４とともに測定値を表示する指標７３ａが、文字板３の内縁部、即ち、開口部７３ｂに沿って円弧状に配列されている。
【００５２】
指針体駆動装置７２は、指標７３ａを指示するように文字板７３に対して配設される指針体７４と、指標７３ａの配列に沿いつつ文字板７３と平行に配設されるレール部６と、指針体７４が固定されるとともにレール部６に沿って引き回されるワイヤ５と、指針体７４が計測量に応じた指示位置に位置づくようにワイヤ５を指標７３ａの配列に沿って移動させる駆動部７と、を有している。なお、レール部６と、ワイヤ５と、駆動部７とについては、前述した第１の実施形態と同一であり、同一部分には同一符号を付して説明を省略する。
【００５３】
指針体７４は、合成樹脂を基材として形成されており、長方形板上のベース部７４ａと、ベース部７４ａの一つの長辺の中央部から上方（図６上方向）に垂直に延設された指針７４ｂと、で構成されている。ベース部７４ａは、その下面部がレール部６に当接されるように、レール部６の曲率に合わせて湾曲されている。また、ベース部７４ａには、その長手方向に沿って帯状に形成された突部７４ｃが、その下面（即ち、レール部６と当接する面）の中央に配設されており、突部７４ｃがレール部６の中央の間隙に嵌ることで、レール部６からはずれることなく、レール部６に沿って移動される。
【００５４】
そして、指針式計器７１は、指針体駆動装置７２が、文字板７３の内縁部、即ち、開口部７３ｂの縁に沿うようにレール部６を湾曲され、且つ、指針体７４が文字板７３の内縁側から指標７３ａを指示するように、文字板７３の後方に固定されて組み立てられる。
【００５５】
上述した第２の実施形態によれば、第１の実施形態での効果に加え、文字板７３および指針体駆動装置７２は、指針体７４が文字板７３の内縁側から指標７３ａを指示するように、配設されていることから、指針体７４は、文字板７３の内縁に沿って移動する。そのため、利用者に対して、第１の実施形態とは異なる表示形態を提供することができる。
【００５６】
（実施例３）
次に、本発明に係る第３の実施形態について、図８を参照して説明する。
【００５７】
指針式計器８１は、第１の指標８３Ａａが配列された第１の文字板８３Ａと、第１の文字板８３Ａの後方に配置された第１の指針体駆動装置２Ａと、第２の指標８３Ｂａが配列された第２の文字板８３Ｂと、第２の文字板８３Ｂの後方に配置された第２の指針体駆動装置２Ｂと、で構成されている。なお、第１の指針体駆動装置２Ａおよび第２の指針体駆動装置２Ｂは、第１の実施形態の指針体駆動装置２と同一であり、同一部分には同一符号を付して説明を省略する。
【００５８】
第１の文字板８３Ａは、円弧形状に形成されており、その中央部には半円形状の開口部８３Ａｂが設けられている。また、第１の文字板８３Ａの外縁に沿って第１の指標８３Ａａが配列されている。第２の文字板８３Ｂは、前記開口部８３Ａｂよりやや小さい半円形状に形成されており、第１の文字板８３Ａと同一平面となるように、前記開口部８３Ａｂに配設される。また、第２の文字板８３Ｂの外縁に沿って第２の指標８３Ｂａが配列されている。
【００５９】
そして、指針式計器８１は、指針体４Ａが第１の文字板８３Ａの外縁から第１の指標８３Ａａを指示するように、第１の指針体駆動装置２Ａが第１の文字板８３Ａの外縁に沿ってレール部６Ａを湾曲し、第１の指針体駆動装置２Ａの側部を第１の文字板８３Ａの後面に当接させて固定されるとともに、指針体４Ｂが第２の文字板８３Ｂの外縁から第２の指標８３Ｂａを指示するように、第２の指針体駆動装置２Ｂが第２の文字板８３Ｂの外縁に沿ってレール部６Ｂを湾曲し、第２の指針体駆動装置２Ｂの側部を第２の文字板８３Ｂの後面に当接または近接させて計器ケースに固定されて組み立てられている。
【００６０】
上述した第３の実施形態によれば、第１の実施形態での効果に加え、指針体駆動装置２Ａ、２Ｂを有していることから、一つの計器表示領域において、同一の指針体駆動装置を複数用いて、複数の表示を行うことができる。そのため、部材の共通化により指針体駆動装置のコスト低減が可能であり、複数の測定値を表示できる指針式計器を安価に提供することが出来る。
【００６１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６２】
【図１】本発明の第１の実施形態の指針式計器の斜視図。
【図２】本発明の第１の実施形態の指針体駆動装置の斜視図。
【図３】図２に示す指針体駆動装置の正面図。
【図４】図２に示す指針体駆動装置の分解立体図。
【図５】図２に示す指針体駆動装置において用いられるテンションプーリの正面図。
【図６】本発明の第２の実施形態の指針式計器の斜視図。
【図７】本発明の第２の実施形態の指針体駆動装置の斜視図。
【図８】本発明の第３の実施形態の指針式計器の正面図。
【図９】従来の指針式計器の断面図。
【図１０】従来の指針式計器の正面図。
【符号の説明】
【００６３】
１      指針式計器
２      指針体駆動装置
３      文字板
３ａ    指標
４      指針体
５      ワイヤ（柔軟部材）
６      レール部
７      駆動部
１０、２０、３０    節部材（支持部材）
４１    大ガイドプーリ（第１の回動体）
４２    小ガイドプーリ（付勢部材、第２の回動体）
４３    先端ガイドプーリ
【図１】
2008267811.tif 000003
【図２】
2008267811.tif 000004
【図３】
2008267811.tif 000005
【図４】
2008267811.tif 000006
【図５】
2008267811.tif 000007
【図６】
2008267811.tif 000008
【図７】
2008267811.tif 000009
【図８】
2008267811.tif 000010
【図９】
2008267811.tif 000011
【図１０】
2008267811.tif 000012